(57)【要約】  自己充填式洪水−保護バッグは、少なくとも２つの取囲まれた室（１）を備え、これらの室（１）は、「Ｔ」字形のターミナルヨーク（２）によって互いに連結され、室（１）は、高吸水性のポリエステル繊維から作られている。室（１）には、架橋型ポリアクリレートに基づく超吸水体（３）（ＳＡＰ）の粒状又はゼリー状の混合物が充填されている。ターミナルヨーク（２）は、２つの操作用の金属製のハトメ（４）を含む。【選択図】図２
2017516934.tif 000002
【特許請求の範囲】
【請求項１】
少なくとも２つの取囲まれた室（１）を備え、これらの室（１）は、「Ｔ」字形のターミナルヨーク（２）によって互いに連結され、前記室（１）は、高吸水性のポリエステル繊維から作られ、前記室（１）は、少なくとも一部に超吸水体（３）の混合物が充填されていることを特徴とする自己充填式洪水−保護バッグ。
【請求項２】
「Ｔ」字形の前記ターミナルヨーク（２）は、高吸水性のポリエステル繊維であり、少なくとも２つの操作用のハトメ（４）を含むことを特徴とする請求項１に記載の自己充填式洪水−保護バッグ。
【請求項３】
「Ｔ」字形の前記ターミナルヨーク（２）は、プラスチック製であり、少なくとも２つの操作用のハトメ（４）を含むことを特徴とする請求項１に記載の自己充填式洪水−保護バッグ。
【請求項４】
前記超吸水体（３）は、成形されたバンドの形態、粒状の形態、又は、ゼリー状の形態であることを特徴とする請求項１に記載の自己充填式洪水−保護バッグ。
【請求項５】
前記超吸水体は、架橋型ポリアクリレートに基づくものであることを特徴とする請求項１に記載の自己充填式洪水−保護バッグ。
【請求項６】
前記室（１）中には、湿潤剤及び／又はポリビニルピロリドンが配置されていることを特徴とする請求項１乃至５のいずれか１項に記載の自己充填式洪水−保護バッグ。
【発明の詳細な説明】
【技術分野】
【０００１】
本発明は、シンプルで、迅速、かつ、効果的な建物、交通、農業エリアの洪水−保護を目的とする自己充填式洪水−保護バッグの構造に関し、その機能は、洪水、水供給システムの故障による緊急漏水のような場合に被る被害を解消し、減少させることである。本発明は、水資源管理の分野に分類される。
【背景技術】
【０００２】
最先端の技術において、丈夫で搬送可能な構造−保護障壁が公知であり、これらは、組み手てられて洪水−保護壁を形成する。これらは、固定又は着脱可能な支柱に支持された異なるタイプの壁、及び、水又は他の材料が充填された異なるタイプの障壁である。基本的な洪水−保護手段は、砂、土、砕石及び他のバルク材が充填された洪水−保護バッグである。
【０００３】
また、スロバキア実用新案ＵＶ６３００に記載されているように、土台に立てる三角形の断面を有する水が充填されたバッグ（袋）が公知である。断面形状を保持することは、担体バー構造により、確保することが可能である。バッグの外被は、ポリエチレン製である。これらの障壁は、保管のために非常に大きなスペースをとる。
【０００４】
また、スロバキア実用新案ＵＶ５８５５に記載されているように、パイプ形状のフレキシブルプラスチックバッグが公知である。これらは、水が充填され、これらの利点は、地形に対する高い適合能力である。これらの欠点は、十分に安定せず水に流れるため、より高い水柱に対して使用できないこと、及び、鋭利なものによってプラスチック材料の破裂の恐れがあるからである。
【０００５】
また、オープンバッグシステムが公知であり、これは、台形の断面を有し、スチールパイプからなる堅牢な骨組み、及び、プラスチック材料でそれぞれ被覆されたジオテキスタイル製の外被によって形成される。これらには、それぞれ砂、土、水が充填される。また、公開された国際出願ＷＯ０２／１０５１９に記載された水を充填可能なバッグに基づく同様の構造の洪水−保護壁の構成部分が公知である。これらの欠点は、断面の上部における引張に対する抵抗力が低いことにある。固定する際、これらは、支持構造の組立を必要とする。
【０００６】
更に、自由に組み立てられる支柱及び交差配置される充填材の構造に基づく洪水−保護障壁のシステムが公知である。このシステムの欠点は、堅牢な骨組みの補助を伴う支柱の支持ロッドの固定が必要なことにある。
【０００７】
また、交差部及び規定の間隔をもって地形に強固に固定された支持要素のシステムからなる洪水−保護障壁のシステムが公知である。そのような調整された横方向の部材の支持要素の列は、砂入りのバッグがそれぞれ固定されて延ばされた外被である。
【０００８】
更に、吸水体を有するブロック状の吸収性モジュールのシステムが公知であり、これらの吸水性モジュールは、固定要素、例えばベルクロ（登録商標）ファスナによって相互に連結されている。このシステムの欠点は、モジュールの信頼性のある相互連結を確実に実現させるように固定要素の清浄度を維持する必要があることである。また、モジュールの充分に強固な相互連結がなされず、この方法で構築された障壁は不安定である。
【発明の概要】
【発明が解決しようとする課題】
【０００９】
洪水−保護障壁の選択の制限は、それら機動性に関し、また、そのコンクリートへの強固な固定、同様に、脆弱ない基礎への取付けによって影響され、地形の不規則性の複製の制限及び砂バッグの操作性の低さの結果の欠点は、健康上の問題を生じる可能性があり、大きな労力を必要とし、また、結局、保管性が悪く、砂の搬送のためのコストがかかるため、強固な固定要素がなく移動可能で、容易に搬送、取付、取外し、及び保管可能であり、強固な岩盤、同様に、脆弱な岩盤に使用可能な、洪水−保護障壁の構造を開発するための余地を生じている。
この努力の結果は、本発明において更に説明される自己充填式洪水−保護バッグである。
【課題を解決するための手段】
【００１０】
上述の欠点は、本発明に従った自己充填式洪水−保護バッグによって取り除かれ、本発明の自己充填式洪水−保護バッグは、少なくとも２つの取囲まれた室を備え、これらの室は、「Ｔ」字形のターミナルヨークによって互いに結合され、これらの室は、少なくとも一部に超吸水体の混合物が充填されている。「Ｔ」字形のターミナルヨークは、少なくとも２つの操作用の金属又はプラスチック製のハトメを含む。ハトメは、これらのハトメに通されたロープを引っ張り、これらの自己充填式洪水−保護バッグを縛り、ロープを固定することによって組立てられる洪水−保護壁の補強に役立つ。また、ハトメは、取外しによるこれらの自己充填式洪水−保護バッグの操作に対して役立つ。超吸水体（ＳＡＰ）、それ自体は、成形されたバンド、格子状の形態、又は、粒状あるいはゼリー状の形態とすることができる。超吸水体の混合物は、ポリアクリルアミド系共重合体、ポリアクリル酸のような架橋型ポリアクリレート、澱粉共重合体、カルボキシメチルセルロース、変性セルロースに基づくことができる。これらの室の中へ超吸水体の混合物と共に湿潤剤及び／又はポリビニルピロリドンが配置され、これにより、水に接触した吸収体の迅速な膨張を確実にする。自己充填式洪水−保護バッグ、すなわち、室及び／又は「Ｔ」字形のターミナルヨークは、高吸水性を有するポリエステル繊維で完全なモジュールの形態で製造され、ゼリー状粒子、超吸収剤粒の自己充填式洪水−保護バッグの表面への漏れを抑制し、これにより、充填された自己充填式洪水−保護バッグのずれを大幅に減少させる。
【発明の効果】
【００１１】
本発明に従った自己充填式洪水−保護バッグの構造の利点は、その効果から明らかであり、これは、外観に現れている。本発明の効果は、とりわけ、提案された構造上の解決法は、搬送及び取扱いに適した軽量である点である。自己充填式洪水−保護バッグは、即座に使用することができる。本発明による自己充填式洪水−保護バッグの準備は、数千の自己充填式洪水−保護バッグでさえ容易、かつ、迅速に設置場所に搬送することができるので、実際に、作業、取扱い及び搬送が非常に低コストですむ。大量の自己充填式洪水−保護バッグの保管は、非常にシンプルで、５年を超える長期間である。収縮した自己充填式洪水−保護バッグに水がかけられると、水を吸収して５〜７分以内に完全な体積に膨張するので、適用は非常にシンプルである。自己充填式洪水−保護バッグは、繰返し使用することができ、環境的に受容可能である。本発明に従ったこれらの自己充填式洪水−保護バッグは、特に以下への使用が考慮される。
−住居、行政及び産業施設の保護；
−汚染された水の除去；
−水泳プール及び入浴槽の洪水の水の侵入に対する保護；
−水路及び排水の流域の保護；
−掘削穴からの洪水及び雨水の吸収；
−造営地、道路及び建物の水に対する保護；
−地下車庫及び地下室の保護及び排水；
水流の転向及び調整。
【図面の簡単な説明】
【００１２】
本発明に従った、自己充填式洪水−保護バッグは、図面に示される特定の実施形態について更に説明される。
【００１３】
【図１】図１は、２つの室を有する収縮された１つの自己充填式洪水−保護バッグの３次元視を示し、そのＡ−Ａ線による縦断面図も示す。
【図２】図２は、自己充填式洪水−保護バッグの縦断面のＢ部の詳細を示す。
【図３】図３は、互いに並べられた自己充填式洪水−保護バッグからなる組立てられた洪水−保護壁を示す。
【発明を実施するための形態】
【００１４】
本発明に従った自己充填式洪水−保護バッグの特定の実施形態は、図示の目的のためだけに示され、技術的な解決手段の限定として示されていないことが理解される。当業者は、ある程度の一連の方法の実験の実施を通じて、本発明に従った自己充填式洪水−保護バッグの特定の実施形態の多くの均等物を見出す、又は、見出すことができるであろう。また、そのような均等物は、後述の特許請求の範囲の技術的範囲に含まれる。当業者にとって、そのような自己充填式洪水−保護バッグの寸法の決定並びに材料及び構造配列の適当な選択は、いかなる困難も伴わず、したがって、これらの特徴は、詳細には解説しない。
【００１５】
実施形態１
図１及び図２に示されるように、本発明の主題の特定の実施形態の例において、自己充填式洪水−保護バッグの第１構造が示されている。この自己充填式洪水−保護バッグは、取囲まれた２つの室１を備え、これら室１は、「Ｔ」字形のターミナルヨーク２によって互いに連結され、また、高吸水性を有するポリエステル繊維から製造されている。室１は、架橋型ポリアクリレート：ポリアクリルアミド系共重合体及びポリビニルピロリドンを含有するポリアクリル酸に基づく超吸水性のゼリー状又は粒状の混合物で充填されている。「Ｔ」字形のターミナルヨーク２は、２つの操作用の金属製のハトメ４を含む。図３に、組立てられた洪水−保護壁が示され、これは、互いに積み重ねられた複数の自己充填式洪水−保護バッグからなり、ターミナルヨーク２の革新的な機能を見ることができ、これは、１つの列のターミナルヨーク２が積み重ねられた自己充填式洪水−保護バッグの下の列及び上の列の室１によって押圧されることにより、積み重ねられた複数の自己充填式バッグの安定性だけでなく、水密性も提供する。
【００１６】
実施形態２
本発明の主題の特定の実施形態の例において、自己充填式洪水−保護バッグの第２構造が示されている。この自己充填式洪水−保護バッグは、上述の例において充分に説明されている。相違点は、吸収体の形態のみである。この場合、室１は、格子状のバンドの形態に成形された超吸水体３が充填されている。次の相違点は、ターミナルヨーク２がプラスチックから作られていることである。
【００１７】
実施形態３
本発明の主題の特定の実施形態の例において、自己充填式洪水−保護バッグの第３構造が示されている。この自己充填式洪水−保護バッグは、上述の例において充分に説明されている。相違点は、自己充填式洪水−保護バッグの２つのターミナルヨーク２によって互いに連結された３つの室の数についてのみである。「Ｔ」字形のターミナルヨーク２は、上述の実施形態と異なり、３つの操作用の金属製のハトメ４を含む。
【産業上の利用可能性】
【００１８】
本発明に従った自己充填洪水−保護バッグは、洪水−保護ダム及び障壁の工事の水資源管理、並びに、水溜りの多い濡れたスペースを乾燥させる建設産業の分野での適用を見出すことができる。
【図１】
2017516934.tif 000003
【図２】
2017516934.tif 000004
【図３】
2017516934.tif 000005
【国際調査報告】
2017516934.tif 000006
2017516934.tif 000007
2017516934.tif 000008